(57)【要約】【課題】対向する一組のマウントボディーの間に、動きを上下に制限する動作ガイドを形成することにより、加えられた衝撃により起きるマウントボディーの弾動がよじれることなく上下だけに成されるようにした動作ガイドが備わったワイヤーショックマウントを提供する。【解決手段】対向する一組のマウントボディーが前後左右によじれることなく上下に動作するように、マウントボディーの間に動作ガイドを形成し、マウントボディーの一方の外面には結合具を形成し、目的する位置や場所および物品に結合する。【選択図】図２
2011220440.tif 000002
【特許請求の範囲】
【請求項１】
一定距離離隔されて対向する一組のマウントボディーを、複数のワイヤーによって連結し、前記マウントボディーのうちの一方に伝えられた衝撃や振動を、前記ワイヤーの弾性によって吸収するワイヤーショックマウントにおいて、
前記マウントボディーのうちの一方と他方との間には、前記マウントボディーのうちの一方と他方との間の振動を、前記マウントボディーの面に対して垂直な方向に限定する動作ガイドが形成されることを特徴とする、ワイヤーショックマウント。
【請求項２】
前記動作ガイドは、前記マウントボディーのうちの一方である上部マウントボディーの下部面に固定される管状の上部ガイドと、前記マウントボディーのうちの他方である下部マウントボディーの上部面に固定され、前記上部ガイドに内挿される下部ガイドからなることを特徴とする、請求項１に記載のワイヤーショックマウント。
【請求項３】
前記上部ガイドの内周面には、ベアリングやブッシュからなる摩擦減少部材がさらに形成されることを特徴とする、請求項２に記載のワイヤーショックマウント。
【請求項４】
前記下部ガイドは円柱形状であり、長さ方向に沿って該円柱形状の表面を切り取った切取面が形成されることを特徴とする、請求項２に記載のワイヤーショックマウント。
【請求項５】
前記下部ガイドは円柱形状であり、該円柱形状の軸芯に沿って空気排出口がさらに形成されることを特徴とする、請求項２〜４のいずれか１項に記載のワイヤーショックマウント。
【請求項６】
前記マウントボディーの各々対向する面の背面の一方または両方には、結合具が形成されることを特徴とする、請求項１に記載のワイヤーショックマウント。
【請求項７】
前記結合具は、ホーム、突起、またはねじ山を有するボルトからなることを特徴とする、請求項６に記載のワイヤーショックマウント。
【請求項８】
前記結合具は、内周面にねじ山が形成された前記ホーム、一端にねじ山が設けられた前記突起、またはボルトからなることを特徴とする、請求項７に記載のワイヤーショックマウント。
【請求項９】
請求項１〜４または６のいずれか１項に記載のワイヤーショックマウントを含んで構成される医療用キャリア。
【請求項１０】
請求項１〜４または６のいずれか１項に記載のワイヤーショックマウントを含んで構成される車両用シート。
【請求項１１】
請求項１〜４または６のいずれか１項に記載のワイヤーショックマウントを含んで構成される体育館用床材。
【請求項１２】
請求項１〜４または６のいずれか１項に記載のワイヤーショックマウントを含んで構成される運動用エアーボード。
【請求項１３】
請求項１〜４または６のいずれか１項に記載のワイヤーショックマウントを含んで構成されるベビーカー。
【請求項１４】
請求項１〜４または６のいずれか１項に記載のワイヤーショックマウントを含んで構成される自転車。
【発明の詳細な説明】
【技術分野】
【０００１】
本発明は、動作ガイドを備えるワイヤーショックマウント、およびワイヤーショックマウントの利用に関するもので、より詳しくは、対向する一組のマウントボディーの間に、動きを上下方向に制限する動作ガイドを形成し、加えられた衝撃により起きるマウントボディーの振動がよじれることなく上下方向に限定されるようにしたワイヤーショックマウントと、かかるワイヤーショックマウントによって改善された衝撃吸収性能を有する物品に関する。
【背景技術】
【０００２】
ワイヤーショックマウントは、一組のマウントボディーの間を、弾性を有するワイヤーで連結した構造を有する。かかる構造によって、ワイヤーショックマウントは、一方のマウントボディーで衝撃が伝えられた場合に、伝えられた衝撃をワイヤーで吸収し、他方のマウントボディーへの衝撃伝達を最小限にすることができる。従って、当該他方のマウントボディーに機器を固定して衝撃から保護する衝撃吸収機構として、通信設備や試験装置など衝撃に脆弱な機器を保護するために広く使われてきた。
【０００３】
従来のワイヤーショックマウントは、図１に示される通り、一定間隔離隔されて対向する一組のマウントボディーの間に、マウントボディーの側面を連結するように多数のワイヤーが形成される。一方のマウントボディーは壁体や床に固定され、他方のマウントボディーは衝撃から保護しようとする機器に固定される。従来のワイヤーショックマウントは、かかる構成によって、壁体や床を通じて伝えられる衝撃をワイヤーで吸収し、マウントボディーに固定された機器に伝えられる衝撃を最小化させ、機器を保護するものである。
【０００４】
特に、車両など振動の激しい環境に設置される機器にワイヤーショックマウントを使用する場合、振動により発生した衝撃は、マウントボディーの間に連結されたワイヤーが前後左右および上下の方向に動くことによって十分に吸収される。このような場合において、ワイヤーショックマウントは有用である。
【０００５】
しかし、従来の、衝撃を効果的に吸収することができるように構成されたワイヤーショックマウントでは、マウントボディーの間に形成されたワイヤーが前後左右および上下の方向に動くことにより、ワイヤーを介してマウントボディーに固定される機器も前後左右および上下の方向に動く。このため、例えば前後左右に機器が移動すると被害が発生する場所、または前後左右に移動できない物品などには適用することが困難で、用途が限定されるという問題があった。
【発明の概要】
【発明が解決しようとする課題】
【０００６】
そこで、本発明は、上記問題に鑑みてなされたものであり、本発明の目的とするところは、対向する一組のマウントボディーが、伝達された衝撃により上下方向だけに振動することにより、多様な場所または物品などに適用することが可能な、新規かつ改良されたワイヤーショックマウントを提供することにある。また、本発明が他に目的とするところは、迅速かつ簡単に組立および解体が可能であり、特定の場所および物品に限定されずに利用できるようにした、新規かつ改良されたワイヤーショックマウントを提供することにある。
【課題を解決するための手段】
【０００７】
上記課題を解決するために、本発明のある観点によれば、対向する一組のマウントボディーが前後左右によじれなく上下に動作されるように、マウントボディーの間に動作ガイドを形成し、一方のマウントボディーの外面には結合具を形成して、目的とする位置、場所および物品に結合するワイヤーショックマウントが提供される。
【発明の効果】
【０００８】
以上説明したように本発明によれば、対向する一組のマウントボディーが上下方向だけに振動して衝撃を吸収することで、衝撃を限られた方向の振動によって吸収しなければならない場所または物品などに広く活用することができるという効果があり、また、一方のマウントボディーの外面に形成された結合具を利用して、迅速かつ簡単にワイヤーショックマウントの解体および組立を行うことで、ワイヤーショックマウントを多様な物品に交換して適用できるという効果がある。
【図面の簡単な説明】
【０００９】
【図１】従来のワイヤーショックマウントの構成を示す斜視図である。
【図２】本発明の実施例に係るワイヤーショックマウントの構成を示す分離斜視図である。
【図３】本発明の実施例に係るワイヤーショックマウントの動作状態を示す斜視図である。
【図４】本発明の実施例に係るワイヤーショックマウントの結合状態を示す側面図である
【図５ａ】本発明の実施例に係るワイヤーショックマウントの動作ガイドの構成を示す分離斜視図である
【図５ｂ】本発明の実施例に係るワイヤーショックマウントの動作ガイドの構成を示す分離斜視図である。
【図５ｃ】本発明の実施例に係るワイヤーショックマウントの動作ガイドの構成を示す分離斜視図である。
【図６】本発明に係るワイヤーショックマウントの動作ガイドの結合状態を示す断面図である。
【図７ａ】本発明の実施例に係るワイヤーショックマウントの結合具の構成を示す斜視図である。
【図７ｂ】本発明の実施例に係るワイヤーショックマウントの結合具の構成を示す斜視図である。
【図７ｃ】本発明の実施例に係るワイヤーショックマウントの結合具の構成を示す斜視図である。
【発明を実施するための形態】
【００１０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１１】
図２は、本発明の実施例に係るワイヤーショックマウントの構成を示す分離斜視図で、図３は本発明の実施例に係るワイヤーショックマウントの結合状態を示す結合斜視図である。
【００１２】
図２および図３を参照すると、本発明の実施例に係るワイヤーショックマウントは、一定距離離隔され対向する一組のマウントボディー１０を、複数のワイヤー２０によって連結し、マウントボディー１０のうちの一方に伝えられた衝撃を、ワイヤー２０の弾性で吸収する構造を有する。かかるワイヤーショックマウントにおいては、さらに、マウントボディー１０の間に、衝撃が伝えられた一方のマウントボディー１０の、他方のマウントボディー１０に対する振動を、図中の上下方向に限定する動作ガイド３０が形成される。
【００１３】
ここで、ワイヤー２０は、鋼線や合成樹脂などをさらに合わせて作ったもので、マウントボディー１０のそれぞれの側面に一定間隔に結合され、外側に向かって張り出すように湾曲して形成される。これにより、図３に示すように、衝撃の外力によってマウントボディー１０の離隔距離が狭くなる時、ワイヤー２０が撓って衝撃を吸収し、外力が解消されれば、マウントボディー１０の離隔距離を元の状態に復元することができる。
【００１４】
図４を参照すると、動作ガイド３０は、管状の上部ガイド３０ａに下部ガイド３０ｂが挿入され、図中の上下方向に自由に動けるように配置される。上部ガイド３０ａの端部は上部マウントボディー１０ａの下部面に固定され、下部ガイド３０ｂの端部は下部マウントボディー１０ｂの上部面に固定される。かかる構造の動作ガイド３０によって、上部マウントボディー１０ａと下部マウントボディー１０ｂとの間の振動を、上下方向に限定することができる。
【００１５】
図６の断面図に示されるように、この時、管状に形成される上部ガイド３０ａの内周面には、ベアリングやブッシュなどの摩擦減少部材３３が形成されてもよい。かかる構成により、マウントボディー１０が相互に振動する場合に、上部ガイド３０ａに挿入される下部ガイド３０ｂが円滑に上下運動できる。
【００１６】
また、図５ａ〜図５ｃに示されるように、上部ガイド３０ａおよび下部ガイド３０ｂは、円柱形状で形成することができる。例えば、図５ａに示すように、単純な円筒と円柱とによって構成してもよい。また、上部ガイド３０ａに挿入された下部ガイド３０ｂの上下運動によって動作ガイド３０の内部の空気が圧縮され、動作ガイド３０の動作が円滑に行えなくなることを防止するために、図５ｂに示すように下部ガイド３０ｂの円柱形状の表面を長さ方向に沿って切り取って切取面３４を形成したり、図５ｃに示すように下部ガイド３０ｂの円柱形状の軸芯に沿って空気排出口３５を形成したりしてもよい。
【００１７】
続いて、図７ａ〜図７ｃを参照して、本発明の他の実施例について説明する。本発明の他の実施例に係るワイヤーショックマウントでは、上部マウントボディー１０ａの上面、または下部マウントボディー１０ｂの底面に、結合具４０が形成される。
【００１８】
結合具４０は、上部マウントボディー１０ａと下部マウントボディー１０ｂのいずれか一方に形成してもよく、両方に同時に形成されてもよい。
【００１９】
結合具４０は、図７ａに示すホーム４０ａ、図７ｂに示す突起４０ｂ、または図７ｃに示す、ねじ山を有するボルト４０ｃによって実装することができる。
【００２０】
かかる結合具４０は、例えばホーム４０ａの内周面にねじ山を形成したり、突起４０ｂの一端にねじ山を設けたり、ボルト４０ｃを用いることにより、使用しようとする場所または物品に対応する結合部を設ければ、そこにワイヤーショックマウントを着脱できるものである。
【００２１】
以上説明したような構成を有するワイヤーショックマウントにおいては、設置された場所または物品に衝撃が伝えられた場合、一定距離離隔された状態にあったマウントボディー１０が、垂直に形成された動作ガイド３０に沿って上下方向に振動し、隔離距離が狭くなった場合にマウントボディー１０を連結するワイヤー２０が撓ることによって衝撃が吸収される。
【００２２】
上記のような構成からなるワイヤーショックマウントは、患者輸送のための医療用キャリアの底面に装着することにより、患者を移送する際発生する衝撃を吸収し、患者輸送を安全に行うことを可能にする。また、車両のシートに装着させて走行時に起こる衝撃を吸収することにより、乗客に安全と心地よさを提供できる。また、テコンドー道場や柔道の道場等、体育館の床に設置される床材の底面に装着することにより、衝撃緩和による騒音および振動の低減効果、および運動者の身体保護が可能になる。また、運動用エアーボードの底面に装着することにより、衝撃吸収用として使用することができる。また、ベビーカーのシート部に装着することにより、利用中に起きる衝撃が子供の脳に伝わって衝撃を受けないようにすることができる。また、自転車の前方のリアショックとして装着することによって衝撃を吸収し、またサドルの下のシートポストに装着することで床の衝撃を吸収することができるものである。
【００２３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００２４】
１０      マウントボディー
１０ａ    上部マウントボディー
１０ｂ    下部マウントボディー
２０      ワイヤー
３０      動作ガイド
３０ａ    上部ガイド
３０ｂ    下部ガイド
３３      摩擦減少部材
３４      切取面
３５      空気排出口
４０      結合具
４０ａ    ホーム
４０ｂ    突起
４０ｃ    ボルト
【図１】
2011220440.tif 000003
【図２】
2011220440.tif 000004
【図３】
2011220440.tif 000005
【図４】
2011220440.tif 000006
【図５ａ】
2011220440.tif 000007
【図５ｂ】
2011220440.tif 000008
【図５ｃ】
2011220440.tif 000009
【図６】
2011220440.tif 000010
【図７ａ】
2011220440.tif 000011
【図７ｂ】
2011220440.tif 000012
【図７ｃ】
2011220440.tif 000013